(57)【要約】【課題】水栓と散水器具とが離れた位置に配設されている場合の、操作性の向上を図ることのできる水栓装置を提供する。【解決手段】水栓装置は、浴室１のカウンター６等に取り付けられ、吐水，止水及び流量調節用のハンドル１０ａ，１０ｂを備えた水栓８と、該水栓８と配管３１を介して接続するエルボ１５と、該エルボ１５の他端にホース１２を介して結合される散水器具１３とを備え、前記エルボ１５は散水器具１３へ供給される湯水の吐水，止水及び流量を調節する流量調節部材２３と、該流量調節部材２３と連繋した開閉ハンドル２９とを設けた。【選択図】　図１
2004116252.tif 000002
【特許請求の範囲】
【請求項１】
浴室のカウンター等に取り付けられ、吐水，止水及び流量調節用のハンドルを備えた水栓と、該水栓と配管を介して接続するエルボと、該エルボの他端にホースを介して結合される散水器具とを備え、前記エルボは散水器具へ供給される湯水の吐水，止水及び流量を調節する流量調節部材と、該流量調節部材と連繋した開閉ハンドルとを設けたことを特徴とする水栓装置。
【請求項２】
前記エルボは、浴室のカウンターに取り付けられたことを特徴とする請求項１記載の水栓装置。
【発明の詳細な説明】
【０００１】
【発明の属する技術分野】
本発明は、例えば浴室等で使用される水栓装置に関する。
【０００２】
【従来の技術】
従来、浴室等で使用される水栓装置において、カウンターに水栓を取り付け、壁面の高い位置に散水器具を着脱自在に支持し、水栓と散水器具はホースにより接続し、水栓で調節された湯水を散水器具から吐水できるようにしたものが公知である。（例えば、特許文献１参照）この特許文献１について図４により簡単に説明すると、浴室３８は洗い場３９と浴槽４０とが隣接しており、浴室用カウンター４１は、正面カウンター４２と、該正面カウンター４２に隣接し、かつ、洗い場３９のコーナーに配設されるコ−ナーカウンター４３とを組み合せて構成している。該コーナーカウンター４３の斜め正面部には水栓４４が取り付けられ、正面カウンター４２の左側面部にはエルボ４５が取り付けられ、また、正面カウンター４２の中央底面には吐水口４６が取り付けられている。前記エルボ４５はホース４７により散水器具４８と接続し、該散水器具４８は壁面４９の高い位置に固定されたホルダー５０に着脱自在に支持されている。このような水栓装置では、水栓はコーナーカウンターに取り付けられ、散水器具は正面カウンターの左側の、水栓とは離れた位置に支持されている。従って、散水器具を使用している際に、湯水の吐水，止水の切り替え、又は流量調節を行なう場合に、散水器具と離れた位置にある水栓まで移動したり、手を伸ばして操作をする必要があり、操作性が悪く、その改善が望まれていた。
【０００３】
【特許文献１】
特開平１１−１９７０４４号公報（第２―第３頁、第１図）
【０００４】
【発明が解決しようとする課題】
本発明は、水栓装置の水栓と散水器具とが離れた位置に配設されている場合の、操作性の向上を課題とするものである。
【０００５】
【課題を解決するための手段】
本発明は請求項１の水栓装置は、浴室のカウンター等に取り付けられ、吐水，止水及び流量調節用のハンドルを備えた水栓と、該水栓と配管を介して接続するエルボと、該エルボの他端にホースを介して結合される散水器具とを備え、前記エルボは散水器具へ供給される湯水の吐水，止水及び流量を調節する流量調節部材と、該流量調節部材と連繋した開閉ハンドルとを設けたものである。
【０００６】
請求項２では、前記エルボは浴室のカウンターに取り付けられたものである。
【０００７】
【発明の実施の形態】
以下、本発明の実施の形態を図に基づいて詳細に説明する。
図１に示すように、浴室１には浴槽２と洗い場３とが隣接して配置され、この浴槽２と洗い場３は、四方に立設した各壁板４と、該各壁板４の上部に結合した天井板５とにより覆われている。浴槽２と洗い場３に沿って立設した壁板４の前方にはカウンター６が形成され、該カウンター６には、湯水の温度調節及び吐止水を切替可能な水栓８とエルボ１５とが取り付けられ、水栓８とエルボ１５とは比較的間隔を設け、離れた位置に取り付けられている。水栓８で調節された湯水は、エルボ１５を介してシャワーヘッド等の散水器具１３へ供給される。
【０００８】
前記水栓８はその機能部がカウンター６内に埋め込まれた状態で取り付けられており、カウンター６は正面側に傾斜面６ａが形成され、該傾斜面６ａには湯水の温度を調節する温調ハンドル９と、湯水の吐水，止水の切り替えと流量調節用のハンドル１０ａ，１０ｂとがそれぞれ突出した状態で併設されている。該ハンドル１０ａは、カウンター６の底面に取り付けられた吐水口１１からの湯水の吐水，止水の切り替えと流量調節を行なうものであり、ハンドル１０ｂは、配管３１によりエルボ１５と接続し、カウンター６上方の壁板４に係止具１４を介して支持されている散水器具１３からの湯水の吐水，止水の切り替えと流量調節を行なうものであり、ハンドル１０ｂと散水器具１３とは、配管３１，エルボ１５及びホース１２により接続している。なお、散水器具１３は、前記壁板４の適宜の高さに固定した複数個の係止具１４に着脱自在に支持したり、又は係止具１４から取り出して使用するものである。
【０００９】
図２及び図３（ａ），（ｂ）に示すように、前記エルボ１５は略Ｌ字型の形状で、カウンター６の正面側に取り付けられている。エルボ１５の本体１６は、一方には該本体１６より大径のフランジ部１７が環状に突出して形成され、該フランジ部１７から先端に向かい、第１ねじ部１８が外周に形成されている。該第１ねじ部１８には、カウンター６内部に配設された配管３１が接続されており、該配管３１の他端はカウンター６に取り付けられている水栓８と連通している。また、本体１６の他端には第２ねじ部１９が突出して形成されており、該第２ねじ部１９にはホース１２がナット２８を介して接続され、ホース１２の他端には散水器具１３が結合されている。
【００１０】
前記エルボ１５の第１ねじ部１８は、カウンター６に穿設された挿通孔７に浴室１側から挿通され、該第１ねじ部１８にカウンター６の裏側から固定部材３０を螺着し、該固定部材３０と前記フランジ部１７とで壁板４を挟着することにより、エルボ１５がカウンター６に固定されている。
【００１１】
前記エルボ１５の内部には、第１流路２０ａと第２流路２０ｂとが形成されており、両流路２０ａ，２０ｂは仕切壁２１により仕切られ、該仕切壁２１に穿設された通水孔２１ａにより連通している。前記第２流路２０ｂには仕切壁２１と向かい合って流量調節部材２３が回転自在に挿入されている。該流量調節部材２３は、スピンドル２４と弁体２６とにより構成されている。該スピンドル２４は外周面に雄ねじ部２５が形成された略円柱状で、該雄ねじ部２５はエルボ１５の内周面に形成された雌ねじ部２２に進退可能に螺合している。また、スピンドル２４には弁体２６がビス２７により固定されている。
【００１２】
前記流量調節部材２３は開閉ハンドル２９と連繋しており、該開閉ハンドル２９を操作することによりスピンドル２４が進退し、図３（ａ）に示すように、弁体２６が仕切壁２１に着座することで通水孔２１ａを閉鎖して、第１流路２０ａから第２流路２０ｂへの通水が遮断され、止水状態となる。また、図３（ｂ）に示すように、弁体２６が仕切壁２１から離れると、第１流路２０ａと第２流路２０ｂとは通水孔２１ａにより連通し、第２流路２０ｂからホース１２へ湯水が供給され、また開閉ハンドルの回転量に応じて湯水の流量が調節されるものである。なお、流量調節部材はボール弁，ディスク弁等、特に限定されるものではない。
【００１３】
上記の構成において、水栓８のハンドル１０ｂを操作して湯水を吐水し、散水器具１３を使用して身体の洗浄や洗髪を行っている場合に、エルボ１５に設けられている流量調節部材２３と連繋した開閉ハンドル２９を止水方向に操作すると、図３（ｂ）の状態から図３（ａ）に示すように、流量調節部材２３が仕切壁２１に接近する方向に進退することで、第１流路２０ａと第２流路２０ｂとを連通している通水孔２１ａは弁体２６により遮断され、散水器具１３から吐水されていた湯水は止水状態となる。
【００１４】
また、開閉ハンドル２９を吐水方向に操作すると、図３（ａ）の状態から図３（ｂ）に示すように、流量調節部材２３が仕切壁２１から離れる方向に進退することで、第１流路２０ａと第２流路とは仕切壁２１の通水孔２１ａにより連通し、散水器具１３から湯水を吐水することができる。また、エルボ１５は、水栓８とは離れた位置に取り付けられているので、水栓８の各ハンドル９，１０ａ，１０ｂとエルボ１５の開閉ハンドル２９とを間違えて操作する恐れはない。
【００１５】
以上のように本発明の水栓装置では、散水器具から湯水を吐水している際に、吐水，止水の切り替え及び流量調節を、散水器具から離れた位置に取り付けられている水栓のハンドルを操作しなくても、エルボの開閉ハンドルで操作することができるものである。また、エルボはカウンターに取り付けられているため、洗い場の正面に開閉ハンドルがあり、容易に操作することができる。さらに、水栓と散水器具との間に新たに流量調節部材を取り付ける必要がなく、施工性及び操作性を大幅に向上させることができる。
【００１６】
【発明の効果】
本発明の水栓装置は、浴室のカウンター等に取り付けられ、吐水，止水及び流量調節用のハンドルを備えた水栓と、該水栓と配管を介して接続するエルボと、該エルボの他端にホースを介して結合される散水器具とを備え、前記エルボは散水器具へ供給される湯水の吐水，止水及び流量を調節する流量調節部材と、該流量調節部材と連繋した開閉ハンドルとを設けたので、湯水が吐水される散水器具と水栓との位置が遠く離れていても、吐水，止水の切り替え操作及び流量調節を散水器具の近くのエルボで行なうことができ、わざわざ水栓のハンドルまで移動したり手を伸ばす必要がなく、操作性が大幅に向上する。
【００１７】
また、浴室のカウンターに取り付けられたエルボに流量調節部材と開閉ハンドルとを設けたので、洗い場の正面に開閉ハンドルがあり、容易に操作することができる。
【図面の簡単な説明】
【図１】本発明のエルボが取り付けられた浴室の全体図である。
【図２】エルボの拡大図である。
【図３】エルボの流路の状態を示す説明図であり、（ａ）は止水状態を、（ｂ）は通水状態を示すものである。
【図４】従来技術の説明図である。
【符号の説明】
１　　　　　　　　　　浴室
６　　　　　　　　　　カウンター
８　　　　　　　　　　水栓
１０ａ，１０ｂ　　　　ハンドル
１２　　　　　　　　　ホース
１３　　　　　　　　　散水器具
１５　　　　　　　　　エルボ
２３　　　　　　　　　流量調節部材
２９　　　　　　　　　開閉ハンドル
３１　　　　　　　　　配管
【図１】
2004116252.tif 000003
【図２】
2004116252.tif 000004
【図３】
2004116252.tif 000005
【図４】
2004116252.tif 000006